(57)【要約】  電気ファンの動作を制御するためのシステムが提供される。前記システムは、第１アナログ‐デジタルコンバータから得た第１値に基づき、第１アナログマルチプレクサまたは第１アナログ‐デジタルコンバータの第１チャンネルが誤動作しているか否かを決定するマイクロコントローラを含む。第１値は、第１電気ファンに関わる第１速度信号、及び第１アナログマルチプレクサによって受信される第１電気ファンのための第１駆動電圧の少なくとも一つに関わる。マイクロコントローラは、第１アナログマルチプレクサまたは第１アナログ‐デジタルコンバータの第１チャンネルが誤動作している場合、より高い回転速度で動作するように第２電気ファンを誘導するために、制御信号を調整する。
2019507268.tif 000002
【特許請求の範囲】
【請求項１】
第１及び第２電気ファンの動作を制御するためのシステムであって、
第１及び第２アナログ‐デジタルコンバータと第１及び第２出力ポートとを有するマイクロコントローラと、
第１電気ラインによって前記マイクロコントローラの前記第１出力ポートに電気的に接続し、前記第１電気ファンに電気的に接続する第１ファン駆動回路と、
前記第１電気ファンの回転速度を示す第１速度信号を生成する第１速度センサと、
出力ポート、前記第１電気ラインに電気的に接続する第１入力ポート、及び前記第１速度センサに電気的に接続する第２入力ポートを有する第１アナログマルチプレクサと、
前記第１アナログマルチプレクサの前記出力ポートに電気的に接続する前記第１アナログ‐デジタルコンバータの第１チャンネルと、
第２電気ラインによって前記マイクロコントローラの前記第２出力ポートに電気的に接続し、前記第２電気ファンに電気的に接続する第２ファン駆動回路と、
前記第２電気ファンの回転速度を示す第２速度信号を生成する第２速度センサと、
出力ポート、前記第２電気ラインに電気的に接続する第１入力ポート、及び前記第２速度センサに電気的に接続する第２入力ポートを有する第２アナログマルチプレクサと、
前記第２アナログマルチプレクサの前記出力ポートに電気的に接続する前記第２アナログ‐デジタルコンバータの第１チャンネルと、を含み、
前記マイクロコントローラが、
前記第１及び第２電気ファンが個別的に第１及び第２回転速度で動作するように誘導するために、前記第１及び第２ファン駆動回路が個別的に第１及び第２駆動電圧を生成するように誘導する第１及び第２制御信号を生成し、
前記第１アナログ‐デジタルコンバータから得た第１値に基づき、前記第１アナログマルチプレクサが誤動作しているか、または前記第１アナログ‐デジタルコンバータの前記第１チャンネルが誤動作しているか否かを決定するようにプログラムされたものであり、
前記第１値が、前記第１アナログマルチプレクサによって受信される前記第１速度信号及び前記第１駆動電圧の少なくとも一つに関するものである、システム。
【請求項２】
前記マイクロコントローラは、
前記第１アナログマルチプレクサが誤動作しているか、または前記第１アナログ‐デジタルコンバータが誤動作している場合、
前記第２電気ファンが前記第２回転速度よりも大きい第３回転速度で動作するように誘導するために、前記第２駆動電圧を調整するように前記第２ファン駆動回路を誘導するために、前記第２制御信号を調整するようにプログラムされたことを特徴とする請求項１に記載のシステム。
【請求項３】
第１及び第２電気ファンの動作を制御するためのシステムであって、
第１及び第２アナログ‐デジタルコンバータと第１及び第２出力ポートとを有するマイクロコントローラと、
第１電気ラインによって前記マイクロコントローラの前記第１出力ポートに電気的に接続し、前記第１電気ファンに電気的に接続する第１ファン駆動回路と、
前記第１電気ファンの回転速度を示す第１速度信号を生成する第１速度センサと、
出力ポート、前記第１電気ラインに電気的に接続する第１入力ポート、及び前記第１速度センサに電気的に接続する第２入力ポートを有する第１アナログマルチプレクサと、
前記第１アナログマルチプレクサの前記出力ポートに電気的に接続する前記第１アナログ‐デジタルコンバータの第１チャンネルと、
第２電気ラインによって前記マイクロコントローラの前記第２出力ポートに電気的に接続し、前記第２電気ファンに電気的に接続する第２ファン駆動回路と、
前記第２電気ファンの回転速度を示す第２速度信号を生成する第２速度センサと、
出力ポート、前記第２電気ラインに電気的に接続する第１入力ポート、及び前記第２速度センサに電気的に接続する第２入力ポートを有する第２アナログマルチプレクサと、
前記第２アナログマルチプレクサの前記出力ポートに電気的に接続する前記第２アナログ‐デジタルコンバータの第１チャンネルと、を含み、
前記マイクロコントローラが、
前記第１及び第２電気ファンが個別的に第１及び第２回転速度で動作するように誘導するために、前記第１及び第２ファン駆動回路が個別的に第１及び第２駆動電圧を生成するように誘導する第１及び第２制御信号を生成し、
前記第２アナログ‐デジタルコンバータから得た第１値に基づき、前記第２アナログマルチプレクサが誤動作しているか、または前記第２アナログ‐デジタルコンバータの前記第１チャンネルが誤動作しているか否かを決定するようにプログラムされたものであり、
前記第１値が、前記第２アナログマルチプレクサによって受信される前記第２速度信号及び前記第２駆動電圧の少なくとも一つに関わるものである、システム。
【請求項４】
前記マイクロコントローラは、
前記第２アナログマルチプレクサが誤動作しているか、または前記第２アナログ‐デジタルコンバータが誤動作している場合、
前記第１電気ファンが前記第１回転速度よりも大きい第３回転速度で動作するように誘導するために、前記第１駆動電圧を調整するように前記第１ファン駆動回路を誘導するために、前記第１制御信号を調整するようにプログラムされたことを特徴とする請求項３に記載のシステム。
【発明の詳細な説明】
【技術分野】
【０００１】
本発明は、電気ファンの動作を制御するためのシステムに関する。
【０００２】
本出願は、２０１６年６月２０日出願の米国特許出願第６２／３５２３４４号及び２０１６年８月２５日出願の米国特許出願第１５／２４７２８２号に基づく優先権を主張し、該当出願の明細書及び図面に開示された内容は、すべて本出願に援用される。
【背景技術】
【０００３】
通常、車両などの冷却が要求される多様な装置やシステムには複数の電気ファンが装着される。
【０００４】
各電気ファンは、外部から電源の供給を受けてそのファンブレードを回転させることで冷却対象物を冷却する。例えば、ハイブリッド自動車のバッテリーは充放電によって過熱し得、この場合、バッテリーの温度などに基づいて電気ファンを全体的にまたは個別的に動作させることで、バッテリーの温度が適正範囲内で維持されるように管理することが必要である。
【０００５】
ところが、多様な原因によって、一部の電気ファンまたはこの関連部分に故障が発生し得る。
【発明の概要】
【発明が解決しようとする課題】
【０００６】
本発明の発明者は、複数の電気ファンのいずれか一つと、他の一つである第１及び第２電気ファンの動作を制御するための、改善したシステムに対する必要性を認識した。特に、前記システムは、第２電気ファンの動作速度を調節するか否かを決定するために、第１電気ファンに関わる第１アナログ‐デジタルコンバータからの値をモニターし、第１電気ファンの動作速度を調節するか否かを決定するために、第２電気ファンに関わる第２アナログ‐デジタルコンバータからの値をモニターする技術的効果を提供することを目的とする。
【０００７】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【０００８】
上記の課題を達成するための本発明の多様な実施例は、下記のようである。
【０００９】
本発明の一実施例による第１及び第２電気ファンの動作を制御するためのシステムが提供される。前記システムは、第１及び第２アナログ‐デジタルコンバータと第１及び第２出力ポートとを有するマイクロコントローラを含む。前記システムは、第１電気ラインによって前記マイクロコントローラの前記第１出力ポートに電気的に接続する第１ファン駆動回路をさらに含む。前記第１ファン駆動回路は、前記第１電気ファンに電気的に接続する。前記システムは、前記第１電気ファンの回転速度を示す第１速度信号を生成する第１速度センサをさらに含む。前記システムは、第１入力ポート、第２入力ポート及び出力ポートを有する第１アナログマルチプレクサをさらに含む。前記第１アナログマルチプレクサの前記第１入力ポートは、前記第１電気ラインに電気的に接続する。前記第１アナログマルチプレクサの前記第２入力ポートは、前記第１速度センサに電気的に接続する。前記第１アナログ‐デジタルコンバータの第１チャンネルは、前記第１アナログマルチプレクサの前記出力ポートに電気的に接続する。
【００１０】
前記システムは、第２電気ラインによって前記マイクロコントローラの前記第２出力ポートに電気的に接続する第２ファン駆動回路をさらに含む。前記第２ファン駆動回路は、前記第２電気ファンに電気的に接続する。前記システムは、前記第２電気ファンの回転速度を示す第２速度信号を生成する第２速度センサをさらに含む。前記システムは、第１入力ポート、第２入力ポート及び出力ポートを有する第２アナログマルチプレクサをさらに含む。前記第２アナログマルチプレクサの前記第１入力ポートは、前記第２電気ラインに電気的に接続する。前記第２アナログマルチプレクサの前記第２入力ポートは、前記第２速度センサに電気的に接続する。前記第２アナログ‐デジタルコンバータの第１チャンネルは、前記第２アナログマルチプレクサの前記出力ポートに電気的に接続する。
【００１１】
前記マイクロコントローラは、前記第１及び第２電気ファンが個別的に第１及び第２回転速度で動作するように誘導するために、前記第１及び第２ファン駆動回路が個別的に第１及び第２駆動電圧を生成するように誘導する第１及び第２制御信号を生成するようにプログラムされる。前記マイクロコントローラは、前記第１アナログ‐デジタルコンバータから得た第１値に基づき、前記第１アナログマルチプレクサが誤動作しているか否か、または前記第１アナログ‐デジタルコンバータの前記第１チャンネルが誤動作しているか否かを決定するようにプログラムされる。前記第１値は、前記第１アナログマルチプレクサによって受信される前記第１速度信号及び前記第１駆動電圧の少なくとも一つに関わる。
【００１２】
本発明の他の実施例による第１及び第２電気ファンの動作を制御するためのシステムが提供される。前記システムは、第１及び第２アナログ‐デジタルコンバータと、第１及び第２出力ポートと、を有するマイクロコントローラを含む。前記システムは、第１電気ラインによって前記マイクロコントローラの前記第１出力ポートに電気的に接続する第１ファン駆動回路をさらに含む。前記第１ファン駆動回路は、前記第１電気ファンに電気的に接続する。前記システムは、前記第１電気ファンの回転速度を示す第１速度信号を生成する第１速度センサをさらに含む。前記システムは、第１入力ポート、第２入力ポート及び出力ポートを有する第１アナログマルチプレクサをさらに含む。前記第１アナログマルチプレクサの前記第１入力ポートは、前記第１電気ラインに電気的に接続する。前記第１アナログマルチプレクサの前記第２入力ポートは、前記第１速度センサに電気的に接続する。前記第１アナログ‐デジタルコンバータの第１チャンネルは、前記第１アナログマルチプレクサの前記出力ポートに電気的に接続する。
【００１３】
前記システムは、第２電気ラインによって前記マイクロコントローラの前記第２出力ポートに電気的に接続する第２ファン駆動回路をさらに含む。前記第２ファン駆動回路は、前記第２電気ファンに電気的に接続する。前記システムは、前記第２電気ファンの回転速度を示す第２速度信号を生成する第２速度センサをさらに含む。前記システムは、第１入力ポート、第２入力ポート及び出力ポートを有する第２アナログマルチプレクサをさらに含む。前記第２アナログマルチプレクサの前記第１入力ポートは、前記第２電気ラインに電気的に接続する。前記第２アナログマルチプレクサの前記第２入力ポートは、前記第２速度センサに電気的に接続する。前記第２アナログ‐デジタルコンバータの第１チャンネルは、前記第２アナログマルチプレクサの出力ポートに電気的に接続する。
【００１４】
前記マイクロコントローラは、前記第１及び第２電気ファンが個別的に第１及び第２回転速度で動作するように誘導するために、前記第１及び第２ファン駆動回路が個別的に第１及び第２駆動電圧を生成するように誘導する第１及び第２制御信号を生成するようにプログラムされる。前記マイクロコントローラは、前記第１アナログ‐デジタルコンバータから得た第１値に基づき、前記第２アナログマルチプレクサが誤動作しているか、または前記第２アナログ‐デジタルコンバータの前記第１チャンネルが誤動作しているか否かを決定するようにプログラムされる。前記第１値は、前記第２アナログマルチプレクサによって受信される前記第２速度信号及び前記第２駆動電圧の少なくとも一つに関わる。
【発明の効果】
【００１５】
本発明の実施例のうち少なくとも一つによる電気ファンの動作を制御するシステムは、第２電気ファンの動作速度を調節するか否かを決定するために、第１電気ファンに関わる第１アナログ‐デジタルコンバータからの値をモニターし、第１電気ファンの動作速度を調節するか否かを決定するために、第２電気ファンに関わる第２アナログ‐デジタルコンバータからの値をモニターする技術的効果を奏する。
【００１６】
また、本発明の実施例の少なくとも一つによれば、ある一つの電気ファンが正常駆動できない場合、正常駆動が可能な他の電気ファンの回転速度を調整することで、冷却対象物の過熱を防止することができる。
【００１７】
本発明の効果は、以上の言及した効果に制限されず、言及されていない他の効果は、請求範囲の記載から当業者に明確に理解されるだろう。
【００１８】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００１９】
【図１】本発明の一実施例による第１及び第２電気ファンの動作を制御するためのシステムの概略的な構成図である。
【図２】本発明の他の実施例による第１及び第２電気ファンの動作を制御するための方法を示したフローチャートである。
【図３】本発明の他の実施例による第１及び第２電気ファンの動作を制御するための方法を示したフローチャートである。
【図４】本発明の他の実施例による第１及び第２電気ファンの動作を制御するための方法を示したフローチャートである。
【図５】本発明の他の実施例による第１及び第２電気ファンの動作を制御するための方法を示したフローチャートである。
【図６】本発明の他の実施例による第１及び第２電気ファンの動作を制御するための方法を示したフローチャートである。
【図７】本発明の他の実施例による第１及び第２電気ファンの動作を制御するための方法を示したフローチャートである。
【図８】本発明の他の実施例による第１及び第２電気ファンの動作を制御するための方法を示したフローチャートである。
【発明を実施するための形態】
【００２０】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２１】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２２】
また、本発明の説明において、関連の公知構成または機能についての具体的な説明が本発明の要旨をぼやかすと判断される場合、その詳細な説明を略する。
【００２３】
なお、明細書の全体にかけて、ある部分が、ある構成要素を「含む」とするとき、これは特に反する記載がない限り、他の構成要素を除くことではなく、他の構成要素をさらに含み得ることを意味する。また、明細書に記載の「制御ユニット」のような用語は、少なくとも一つの機能や動作を処理するユニットを示し、これはハードウェアやソフトウェア、またはハードウェアとソフトウェアとの結合せにより具現され得る。
【００２４】
さらに、明細書の全体に亘って、ある部分が他の部分と「連結」されているとするとき、これは、「直接的に連結」されている場合のみならず、その中間に他の素子を介して「間接的に連結」されている場合も含む。
【００２５】
図１を参照すれば、本発明の一実施例による第１及び第２電気ファン８４、１８４の動作を制御するためのシステム１０が提供される。システム１０は、マイクロコントローラ８０、第１ファン駆動回路８２、第１電気ファン８４、第１速度センサ８６、第１アナログマルチプレクサ８８、第１デバイス９０、電気ライン９１、９２、９４、９６、９８、１００、第２ファン駆動回路１８２、第２電気ファン１８４、第２速度センサ１８６、第２アナログマルチプレクサ１８８、第２デバイス１９０及び電気ライン１９１、１９２、１９４、１９６、１９８、２００を含む。
【００２６】
マイクロコントローラ８０は、マイクロプロセッサ２１６、メモリー２１８、第１アナログ‐デジタルコンバータ２２０、第２アナログ‐デジタルコンバータ２２２及び第２〜第４出力ポート２４４、２４６、２４７、２４８を含む。マイクロコントローラ８０は、メモリー２１８に保存されたソフトウェア命令語を実行するマイクロプロセッサ２１６を用いて診断段階（本明細書のフローチャートに示す）を行うようにプログラムされる。マイクロプロセッサ２１６は、メモリー２１８、第１及び第２アナログ‐デジタルコンバータ２２０、２２２及び第１〜第４出力ポート２４４、２４６、２４７、２４８と動作可能に通信する。
【００２７】
第１アナログ‐デジタルコンバータ２２０は、第１チャンネル２３０及び第２チャンネル２３２を有する。第１チャンネル２３０は、電気ライン９８を用いて第１アナログマルチプレクサ８８の出力ポート２７４に電気的に接続する。第２チャンネル２３２は、電気ライン１００を用いて第１デバイス９０に電気的に接続する。第１デバイス９０は、第１電気ファン８４に要求される回転速度を示す信号を、電気ライン１００を通じて第２チャンネル２３２へ伝送する。
【００２８】
第２アナログ‐デジタルコンバータ２２２は、第１チャンネル２４０及び第２チャンネル２４２を有する。第１チャンネル２４０は、電気ライン１９８を用いて第２アナログマルチプレクサ１８８の出力ポート３７４に電気的に接続する。第２チャンネル２４２は、電気ライン２００を用いて第２デバイス１９０に電気的に接続する。第２デバイス１９０は、第２電気ファン１８４に要求される回転速度を示す信号を、電気ライン２００を通じて第２チャンネル２４２へ伝送する。
【００２９】
第１デバイス９０から第２チャンネル２３２によって受信された信号に対応する第１命令メッセージは、出力ポート２４４から出力されて第１ファン駆動回路８２によって受信できる。第１ファン駆動回路８２は、第１電気ファン８４がそのファンブレードを回転させるように誘導するために、第１電気ファン８４によって受信される第１駆動電圧を生成するように提供される。第１駆動電圧は、第１命令メッセージによって要求される電圧レベルを有することができる。第１ファン駆動回路８２は、入力ノード２５０及び出力ノード２５２を有する。入力ノード２５０は、電気ライン９１を用いてマイクロコントローラ８０の第１出力ポート２４４に電気的に接続する。出力ノード２５２は、電気ライン９２を用いて第１電気ファン８４に電気的に接続する。電気ライン９４は、電気ライン９２と第１アナログマルチプレクサ８８の第１入力ポート２７０との間に電気的に接続する。
【００３０】
第１速度センサ８６は、第１電気ファン８４に動作可能に接続する。第１速度センサ８６は、第１電気ファン８４内に存在するファンブレードの回転速度を示す第１速度信号を生成する。第１速度信号は、第１アナログマルチプレクサ８８によって受信される。特に、第１速度センサ８６は、電気ライン９６を用いて第１アナログマルチプレクサ８８の第２入力ポート２７２に電気的に接続する。
【００３１】
第１アナログマルチプレクサ８８は、第１駆動電圧及び第１速度信号を第１及び第２回数で第１アナログ‐デジタルコンバータ２２０の第１チャンネル２３０へ個別的に伝送するように提供される。第１アナログマルチプレクサ８８は、第１入力ポート２７０、第２入力ポート２７２、出力ポート２７４及び選択ポート２７５を含む。
【００３２】
前述のように、第１入力ポート２７０は、第１駆動電圧を受信するために、電気ライン９２に電気的に接続する。また、第２入力ポート２７２は、第１速度信号を受信するために、第１速度センサ８６に電気的に接続する。また、出力ポート２７４は、第１アナログ‐デジタルコンバータ２２０の第１チャンネル２３０に電気的に接続する。選択ポート２７５は、電気ライン９９を通じてマイクロコントローラ８０の第３出力ポート２４７に電気的に接続する。
【００３３】
マイクロコントローラ８０は、第１ファン駆動回路８２からの第１駆動電圧を選択するために第３出力ポート２４７にて第１選択信号を生成する。第１選択信号は、選択ポート２７５によって受信される。これに応答して、第１アナログマルチプレクサ８８は、第１アナログマルチプレクサ８８を通じて第１駆動電圧を第１アナログ‐デジタルコンバータ２２０の第１チャンネル２３０にルーティングする。
【００３４】
また、マイクロコントローラは、第１速度センサ８６からの第１速度信号を選択するために、第３出力ポート２４７にて第２選択信号を生成する。第２選択信号は、選択ポート２７５によって受信される。これに応答して、第１アナログマルチプレクサ８８は、第１アナログマルチプレクサ８８を通じて第１速度信号を第１アナログ‐デジタルコンバータ２２０の第１チャンネル２３０にルーティングする。
【００３５】
第２デバイス１９０から第２チャンネル２４２によって受信された信号に対応する第２命令メッセージは、出力ポート２４６から出力され、第２ファン駆動回路１８２によって受信され得る。第２ファン駆動回路１８２は、第２電気ファン１８４がそのファンブレードを回転させるように誘導するために、第２電気ファン１８４によって受信される第２駆動電圧を生成するように提供される。第２駆動電圧は、第２命令メッセージによって要求される電圧レベルを有することができる。第２ファン駆動回路１８２は、入力ノード３５０及び出力ノード３５２を有する。入力ノード３５０は、電気ライン１９１を用いてマイクロコントローラ８０の第２出力ポート２４６に電気的に接続する。出力ノード３５２は、電気ライン１９２を用いて第２電気ファン１８４に電気的に接続する。電気ライン１９４は、電気ライン１９２と第２アナログマルチプレクサ１８８の第１入力ポート３７０との間に電気的に接続する。
【００３６】
第２速度センサ１８６は、第２電気ファン１８４に動作可能に接続する。第２速度センサ１８６は、第２電気ファン１８４内に存在するファンブレードの回転速度を示す第２速度信号を生成する。第２速度信号は、第２アナログマルチプレクサ１８８によって受信される。特に、第２速度センサ１８６は、電気ライン１９６を用いて第２アナログマルチプレクサ１８８の第２入力ポート３７２に電気的に接続する。
【００３７】
第２アナログマルチプレクサ１８８は、第２駆動電圧及び第２速度信号を第１及び第２回数で第２アナログ‐デジタルコンバータ２２２の第１チャンネル２４０に個別的に伝送するように提供される。第２アナログマルチプレクサ１８８は、第１入力ポート３７０、第２入力ポート３７２、出力ポート３７４及び選択ポート３７５を含む。
【００３８】
前述のように、第１入力ポート３７０は、第２駆動電圧を受信するために、電気ライン１９２に電気的に接続する。また、第２入力ポート３７２は、第２速度信号を受信するために、第２速度センサ１８６に電気的に接続する。また、出力ポート３７４は、第２アナログ‐デジタルコンバータ２２２の第１チャンネル２４０に電気的に接続する。選択ポート３７５は、電気ライン３９９を通じてマイクロコントローラ８０の第４出力ポート２４８に電気的に接続する。
【００３９】
マイクロコントローラ８０は、第２ファン駆動回路１８２からの第２駆動電圧を選択するために第４出力ポート２４８にて第３選択信号を生成する。第３選択信号は、選択ポート３７５によって受信される。これに応答して、第２アナログマルチプレクサ１８８は、第２アナログマルチプレクサ１８８を通じて第２駆動電圧を第２アナログ‐デジタルコンバータ２２２の第１チャンネル２４０にルーティングする。
【００４０】
また、マイクロコントローラは、第２速度センサ１８６からの第２速度信号を選択するために、第４出力ポート２４８にて第４選択信号を生成する。第４選択信号は、選択ポート３７５によって受信される。これに応答して、第２アナログマルチプレクサ１８８は、第２アナログマルチプレクサ１８８を通じて第２速度信号を第２アナログ‐デジタルコンバータ２２２の第１チャンネル２４０にルーティングする。
【００４１】
図１〜図８を参照すれば、本発明の他の実施例による第１及び第２電気ファン８４、１８４の動作を制御するための方法を示したフローチャートが提供される。
【００４２】
段階６００において、マイクロコントローラ８０は、下記のような初期化を行う。
第１アナログ‐デジタルコンバータ診断フラグ＝第１初期化値
第１アナログマルチプレクサ診断フラグ＝第２初期化値
第２アナログ‐デジタルコンバータ診断フラグ＝第３初期化値
第２アナログマルチプレクサ診断フラグ＝第４初期化値
【００４３】
段階６００の後、方法は段階６０２へ進む。
【００４４】
段階６０２において、マイクロコントローラ８０は、第１及び第２電気ファン８４、１８４が個別的に第１及び第２回転速度で動作するように誘導するために、第１及び第２ファン駆動回路８２、１８２が個別的に第１及び第２駆動電圧を生成するように誘導する第１及び第２制御信号を生成する。段階６０２の後、方法は段階６０４へ進む。
【００４５】
段階６０４において、第１速度センサ８６は、第１電気ファン８４の回転速度を示す第１速度信号を生成する。第１速度信号は、第１アナログマルチプレクサ８８によって受信される。段階６０４の後、方法は段階６０６へ進む。
【００４６】
段階６０６において、第２速度センサ１８６は、第２電気ファン１８４の回転速度を示す第２速度信号を生成する。第２速度信号は、第２アナログマルチプレクサ１８８によって受信される。段階６０６の後、方法は段階６０８へ進む。
【００４７】
段階６０８において、マイクロコントローラ８０は、第１速度信号に関わる第１値及び第１駆動電圧に関わる第２値を得るために、第１アナログマルチプレクサ８８に動作可能に接続した第１アナログ‐デジタルコンバータ２２０の第１チャンネル２３０をモニターする。段階６０８の後、方法は段階６１０へ進む。
【００４８】
段階６１０において、マイクロコントローラ８０は、第１デバイス９０によって出力される信号に関わる第３値を得るために、第１デバイス９０に動作可能に接続した第１アナログ‐デジタルコンバータ２２０の第２チャンネル２３２をモニターする。段階６１０の後、方法は段階６１２へ進む。
【００４９】
段階６１２において、マイクロコントローラ８０は、第１値が時間によって不変であり、第２値が時間によって不変であり、かつ、第３値が時間によって変わるかを判定する。第１値が時間によって不変であり、第２値が時間によって不変であり、第３値が時間によって変わるということは、第１アナログマルチプレクサ８８が誤動作していることを示す。段階６１２における値が「はい」である場合、方法は段階６３０へ進む。そうでなければ、方法は段階６３２へ進む。
【００５０】
段階６３０において、マイクロコントローラ８０は、第１アナログマルチプレクサ診断フラグを第２誤謬値と同一に設定する。段階６３０の後、方法は段階６３４へ進む。
【００５１】
さらに段階６１２を参照すれば、段階６１２の値が「いいえ」である場合、方法は段階６３２へ進む。段階６３２において、マイクロコントローラ８０は、第１アナログマルチプレクサ診断フラグを第２通過値と同一に設定する。段階６３２の後、方法は段階６３４へ進む。
【００５２】
段階６３４において、マイクロコントローラ８０は、第１値が第１アナログ‐デジタルコンバータ２２０に対する第１初期化値に対応し、第２値が第１アナログ‐デジタルコンバータ２２０に対する第１初期化値に対応し、かつ、第３値が第１アナログ‐デジタルコンバータ２２０に対する第１初期化値に対応するかを判定する。
【００５３】
第１値、第２値及び第３値が第１アナログ‐デジタルコンバータ２２０に関わる第１初期化値に対応するということは、第１アナログ‐デジタルコンバータ２２０が誤動作していることを示す。段階６３４の値が「はい」である場合、方法は段階６３６へ進む。そうでなければ、方法は段階６３８へ進む。
【００５４】
段階６３６において、マイクロコントローラ８０は、第１アナログ‐デジタルコンバータ診断フラグを第１誤謬値と同一に設定する。段階６３６の後、方法は段階６４０へ進む。
【００５５】
また、段階６３４を参照すれば、段階６３４の値が「いいえ」である場合、方法は段階６３８へ進む。段階６３８において、マイクロコントローラ８０は、第１アナログ‐デジタルコンバータ診断フラグを第１通過値と同一に設定する。段階６３８の後、方法は段階６４０へ進む。
【００５６】
段階６４０において、マイクロコントローラ８０は、第２速度信号に関わる第４値及び第２駆動電圧に関わる第５値を得るために、第２アナログマルチプレクサ１８８に動作可能に接続した第２アナログ‐デジタルコンバータ２２２の第１チャンネル２４０をモニターする。段階６４０の後、方法は段階６４２へ進む。
【００５７】
段階６４２において、マイクロコントローラ８０は、第２デバイス１９０によって出力される信号についての第６値を得るために、第２デバイス１９０に動作可能に接続した第２アナログ‐デジタルコンバータ２２２の第２チャンネル２４２をモニターする。段階６４２の後、方法は段階６４４へ進む。
【００５８】
段階６４４において、マイクロコントローラ８０は、第４値が時間によって不変であり、第５値が時間によって不変であり、かつ、第６値が時間によって変わるかを判定する。第４値が時間によって不変であり、第５値が時間によって不変であり、第６値が時間によって変わるということは、第２アナログマルチプレクサ１８８が誤動作していることを示す。段階６４４の値が「はい」である場合、方法は段階６４６へ進む。そうでなければ、方法は段階６４８へ進む。
【００５９】
段階６４６において、マイクロコントローラ８０は、第２アナログマルチプレクサ診断フラグを第４誤謬値と同一に設定する。段階６４６の後、方法は段階６５０へ進む。
【００６０】
また、段階６４４を参照すれば、段階６４４の値が「いいえ」である場合、方法は段階６４８へ進む。段階６４８において、マイクロコントローラ８０は第２アナログマルチプレクサ診断フラグを第４通過値と同一に設定する。段階６４８の後、方法は段階６５０へ進む。
【００６１】
段階６５０において、マイクロコントローラ８０は、第４値が第２アナログ‐デジタルコンバータ２２２に対する第２初期化値に対応し、第５値が第２アナログ‐デジタルコンバータ２２２に対する第２初期化値に対応し、かつ、第６値が第２アナログ‐デジタルコンバータ２２２に対する第２初期化値に対応するかを判定する。
【００６２】
第４値、第５値及び第６値が第２アナログ‐デジタルコンバータ２２２に関わる第２初期化値に対応するということは、第２アナログ‐デジタルコンバータ２２２が誤動作していることを示す。段階６５０の値が「はい」である場合、方法は段階６５２へ進む。そうでなければ、方法は段階６７０へ進む。
【００６３】
段階６５２において、マイクロコントローラ８０は、第２アナログ‐デジタルコンバータ診断フラグを第３誤謬値と同一に設定する。段階６５２の後、方法は段階６７２へ進む。
【００６４】
さらに段階６５０を参照すれば、段階６５０の値が「いいえ」である場合、方法は段階６７０へ進む。段階６７０において、マイクロコントローラ８０は、第２アナログ‐デジタルコンバータ診断フラグを第３通過値と同一に設定する。段階６７０の後、方法は段階６７２へ進む。
【００６５】
段階６７２において、マイクロコントローラ８０は、第１アナログ‐デジタルコンバータ診断フラグが第１誤謬値と同一であり、第１アナログマルチプレクサ診断フラグが第２通過値と同一であり、第２アナログ‐デジタルコンバータ診断フラグが第３通過値と同一であり、かつ、第２アナログマルチプレクサ診断フラグが第４通過値と同一であるかを判定する。段階６７２の値が「はい」である場合、方法は段階６７４へ進む。そうでなければ、方法は段階６７８へ進む。
【００６６】
段階６７４において、マイクロコントローラ８０は、第２電気ファン１８４が第２回転速度よりも大きい第３回転速度で動作するように誘導するために、第２駆動電圧を調整するように第２ファン駆動回路１８２を誘導するために、第２制御信号を調整する。段階６７４の後、方法は段階６７６へ進む。
【００６７】
段階６７６において、マイクロコントローラ８０は、第１制御信号の生成を中断する。段階６７６の後、方法は段階６７８へ進む。
【００６８】
段階６７８において、マイクロコントローラ８０は、第１アナログ‐デジタルコンバータ診断フラグが第１通過値と同一であり、第１アナログマルチプレクサ診断フラグが第２誤謬値と同一であり、第２アナログ‐デジタルコンバータ診断フラグが第３通過値と同一であり、かつ、第２アナログマルチプレクサ診断フラグが第４通過値と同一であるか否かを判定する。段階６７８の値が「はい」である場合、方法は段階６８０へ進む。そうでなければ、方法は段階７００へ進む。
【００６９】
段階６８０において、マイクロコントローラ８０は、第２電気ファン１８４が第２回転速度よりも大きい第３回転速度で動作するように誘導するために、第２駆動電圧を調整するように第２ファン駆動回路１８２を誘導するために、第２制御信号を調整する。段階６８０の後、方法は段階６８２へ進む。
【００７０】
段階６８２において、マイクロコントローラ８０は、第１制御信号の生成を中断する。段階６８２の後、方法は段階７００へ進む。
【００７１】
段階７００において、マイクロコントローラ８０は、第１アナログ‐デジタルコンバータ診断フラグが第１通過値と同一であり、第１アナログマルチプレクサ診断フラグが第２通過値と同一であり、第２アナログ‐デジタルコンバータ診断フラグが第３誤謬値と同一であり、かつ、第２アナログマルチプレクサ診断フラグが第４通過値と同一であるかを判定する。段階７００の値が「はい」である場合、方法は段階７０２へ進む。そうでなければ、方法は段階７０６へ進む。
【００７２】
段階７０２において、マイクロコントローラ８０は、第１電気ファン８４が第１回転速度よりも大きい第３回転速度で動作するように誘導するために、第１駆動電圧を調整するように第１ファン駆動回路８２を誘導するために、第１制御信号を調整する。段階７０２の後、方法は段階７０４へ進む。
【００７３】
段階７０４において、マイクロコントローラ８０は、第２制御信号の生成を中断する。段階７０４の後、方法は段階７０６へ進む。
【００７４】
段階７０６において、マイクロコントローラ８０は、第１アナログ‐デジタルコンバータ診断フラグが第１通過値と同一であり、第１アナログマルチプレクサ診断フラグが第２通過値と同一であり、第２アナログ‐デジタルコンバータ診断フラグが第３通過値と同一であり、かつ、第２アナログマルチプレクサ診断フラグが第４誤謬値と同一であるかを判定する。段階７０６の値が「はい」である場合、方法は段階７０８へ進む。そうでなければ、方法は段階７２０へ進む。
【００７５】
段階７０８において、マイクロコントローラ８０は、第１電気ファン８４が第１回転速度よりも大きい第３回転速度で動作するように誘導するために、第１駆動電圧を調整するように第１ファン駆動回路８２を誘導するために、第１制御信号を調整する。段階７０８の後、方法は段階７１０へ進む。
【００７６】
段階７１０において、マイクロコントローラ８０は、第２制御信号の生成を中断する。段階７１０の後、方法は段階７２０へ進む。
【００７７】
段階７２０において、マイクロコントローラ８０は、第１アナログ‐デジタルコンバータ診断フラグが第１通過値と同一であり、第１アナログマルチプレクサ診断フラグが第２通過値と同一であり、第２アナログ‐デジタルコンバータ診断フラグが第３通過値と同一であり、かつ、第２アナログマルチプレクサ診断フラグが第４通過値と同一であるかを判定する。段階７２０の値が「はい」である場合、方法は段階７２２へ進む。そうでなければ、方法は終了する。
【００７８】
段階７２２において、マイクロコントローラ８０は、所定個数の第１値を平均して、第１電気ファン８４に対する第１平均ファン速度値を決定する。段階７２２の後、方法は段階７２４へ進む。
【００７９】
段階７２４において、マイクロコントローラ８０は、所定個数の第４値を平均して、第２電気ファン１８４に対する第２平均ファン速度値を決定する。段階７２４の後、方法は段階７２６へ進む。
【００８０】
段階７２６において、マイクロコントローラ８０は、下記の方程式：
ファン速度差値＝（第１平均ファン速度値−第２平均ファン速度値）の絶対値
を用いてファン速度差値を決定する。段階７２６の後、方法は段階７２８へ進む。
【００８１】
段階７２８において、マイクロコントローラ８０は、ファン速度差値がしきいファン速度差値よりも大きく、第１平均ファン速度値が第２平均ファン速度値よりも大きいか否かを判定する。段階７２８の値が「はい」である場合、方法は段階７３０へ進む。そうでなければ、方法は段階７３４へ進む。
【００８２】
段階７３０において、マイクロコントローラ８０は、第１電気ファン８４が第１回転速度よりも大きい第４回転速度で動作するように誘導するために、第１駆動電圧を調整するように第１ファン駆動回路８２を誘導するために、第１制御信号を調整する。段階７３０の後、方法は段階７３２へ進む。
【００８３】
段階７３２において、マイクロコントローラ８０は、第２制御信号の生成を中断する。段階７３２の後、方法は段階７３４へ進む。
【００８４】
段階７３４において、マイクロコントローラ８０は、ファン速度差値がしきいファン速度差値よりも大きく、第２平均ファン速度値が第１平均ファン速度値よりも大きいかを判定する。段階７３４の値が「はい」である場合、方法は段階７４０へ進む。そうでなければ、方法は終了する。
【００８５】
段階７４０において、マイクロコントローラ８０は、第２電気ファン１８４が第２回転速度よりも大きい第４回転速度で動作するように誘導するために、第２駆動電圧を調整するように第２ファン駆動回路１８２を誘導するために、第２制御信号を調整する。段階７４０の後、方法は段階７４２へ進む。
【００８６】
段階７４２において、マイクロコントローラ８０は、第１制御信号の生成を中断する。段階７４２の後、方法は終了する。
【００８７】
本明細書で説明された第１及び第２電気ファンを制御するためのシステムは、他のシステム及び方法に比べて相当な利点を提供する。特に、前記システムは、第２電気ファンの動作速度を調節するかを決定するために、第１電気ファンに関わる第１アナログ‐デジタルコンバータからの値をモニターし、第１電気ファンの動作速度を調節するかを決定するために、第２電気ファンに関わる第２アナログ‐デジタルコンバータからの値をモニターする技術的効果を提供する。
【００８８】
本発明が、制限された実施例によって詳細に説明されたが、本発明はかかる開示の実施例に限定されない。本発明は、ここに説明されていない本発明の思想と範囲に適するあらゆる変形、変化、代替またはこれに相応する変更を含んで変形され得る。加えて、本発明の多様な実施例が説明されたが、本発明は上述の実施例の一部のみを含み得る。したがって、本発明は、前述の説明によって制限されない。
【図１】
2019507268.tif 000003
【図２】
2019507268.tif 000004
【図３】
2019507268.tif 000005
【図４】
2019507268.tif 000006
【図５】
2019507268.tif 000007
【図６】
2019507268.tif 000008
【図７】
2019507268.tif 000009
【図８】
2019507268.tif 000010
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
第１電気ファンの動作を制御するためのシステムであって、
マイクロコントローラと、
第１電気ラインによって前記マイクロコントローラの第１出力ポートに電気的に接続し、第２電気ラインによって前記第１電気ファンに電気的にさらに接続する第１ファン駆動回路と、
前記第１電気ファンの回転速度を示す第１速度信号を生成する第１速度センサと、
前記第２電気ラインに電気的に接続する第１入力ポート、及び前記第１速度センサに電気的に接続する第２入力ポートを有する第１アナログマルチプレクサと、
前記第１アナログマルチプレクサの前記出力ポートに電気的に接続する第１アナログ‐デジタルコンバータの第１チャンネルと、を含み、
前記マイクロコントローラが、前記第１電気ファンが第１回転速度で動作するように誘導するために、前記第１ファン駆動回路が第１駆動電圧を生成するように誘導する第１制御信号を生成し、
前記マイクロコントローラが、前記第１アナログ‐デジタルコンバータから得た第１値に基づき、前記第１アナログマルチプレクサが誤動作しているか、または前記第１アナログ‐デジタルコンバータの前記第１チャンネルが誤動作しているか否かを決定し、
前記第１値が、前記第１アナログマルチプレクサによって受信される前記第１速度信号及び前記第１駆動電圧の少なくとも一つに関わる、システム。
【請求項２】
第３電気ラインによって前記マイクロコントローラの前記第２出力ポートに電気的に接続し、第４電気ラインによって第２電気ファンに電気的にさらに接続する第２ファン駆動回路と、
前記第２電気ファンの回転速度を示す第２速度信号を生成する第２速度センサと、
前記第４電気ラインに電気的に接続する第１入力ポート、及び前記第２速度センサに電気的に接続する第２入力ポートを有する第２アナログマルチプレクサと、
前記第２アナログマルチプレクサの出力ポートに電気的に接続する第２アナログ‐デジタルコンバータの第１チャンネルと、をさらに含み、
前記マイクロコントローラは、前記第２電気ファンが第２回転速度で動作するように誘導するために、前記第２ファン駆動回路が第２駆動電圧を生成するように誘導する第２制御信号を生成することを特徴とする請求項１に記載のシステム。
【請求項３】
前記マイクロコントローラは、
前記第１アナログマルチプレクサが誤動作しているか、または前記第１アナログ‐デジタルコンバータの前記第１チャンネルが誤動作している場合、
前記第２電気ファンが前記第２回転速度よりも大きい第３回転速度で動作するように誘導するために、前記第２駆動電圧を調整するように前記第２ファン駆動回路を誘導するために、前記第２制御信号を調整することを特徴とする請求項２に記載のシステム。
【請求項４】
前記マイクロコントローラは、
前記第２アナログ‐デジタルコンバータから得た第２値に基づき、前記第２アナログマルチプレクサが誤動作しているか、または前記第２アナログ‐デジタルコンバータの前記第１チャンネルが誤動作しているか否かを決定し、
前記第２値が、前記第２アナログマルチプレクサによって受信される前記第２速度信号及び前記第２駆動電圧の少なくとも一つに関わることを特徴とする請求項２に記載のシステム。
【請求項５】
前記マイクロコントローラは、
前記第２アナログマルチプレクサが誤動作しているか、または前記第２アナログ‐デジタルコンバータの前記第１チャンネルが誤動作している場合、
前記第１電気ファンが前記第１回転速度よりも大きい第３回転速度で動作するように誘導するために、前記第１駆動電圧を調整するように前記第１ファン駆動回路を誘導するために、前記第１制御信号を調整することを特徴とする請求項４に記載のシステム。
【国際調査報告】
2019507268.tif 000011
2019507268.tif 000012
2019507268.tif 000013
2019507268.tif 000014